(57)【特許請求の範囲】
【請求項１】
巻線の始端側に引き出し端末をコアの上側に形成してコアに沿って螺旋状に内径に密着整列巻きで巻始め、始端側と略１８０°相対する反対側に巻線空きスペースを２ターン分設けて、引き続きコアに沿って螺旋状に内径に密着整列巻きで巻線の終端側に巻線空きスペースを１ターン分設けて、引き出し端末をコアの下側に形成し、次に巻線の終端側の引き出し端末を延長して巻き終わりの巻線空きスペースに外径側から内径側へ、直径方向に延ばして又は下方方向に折り曲げて反対側の巻線空きスペースに渡らせ、巻線の終端側の引き出し端末とし、さらに、始端側及び終端側の引き出し端末をそれぞれ下方に向くように整形する巻線工程と、
前記工程で巻線が巻かれたトロイダルコイルを引き出し端末が突き出す形で有底円筒状の樹脂ケースに挿入し、そして、引き出し端末を外形端子側に折り曲げ、折り曲げた引き出し端末にクリームハンダを塗布し、さらに、外形端子側の電極端子を内側に折り曲げて前記折り曲げた引き出し端末の上に重ね、熱処理にてハンダを溶かし前記電極端子と前記引き出し端末を接合し、最後に、樹脂ケースの開口に樹脂蓋を装着し接着する組立工程とからなることを特徴とする基板表面実装型トロイダルコイルの製造方法。
【発明の詳細な説明】
【０００１】
【発明の属する技術分野】
本発明は、産業機器及び民生機器分野における電源回路及びその他の電気回路に利用される制御コイルを有する基板表面実装型トロイダルコイルの製造方法に関する。
【０００２】
【従来の技術】
従来、平滑用チョークコイルの構造としては、EI、EE、ドラム、ドラム＋スリーブ、トロイダルタイプ、ギャップ付きトロイダルがある。
平滑用チョークコイルは、インダクタンスと定格電流で形状のサイズが変わり、一般的に同一インダクタンスの場合、定格電流が大きいと形状も大きくなる。
従来の製品群の材質は、EI、EE、ドラム、ドラム＋スリーブ型はフェライトコア、トロイダル型は金属（アモルファス、鉄系合金）、ギャップ付きトロイダルはアモルファス、フェライトコアで構成されている。
そして、従来の公知技術として、特開平１１−１９５５３３号公報がある。
【０００３】
【特許文献】
前記特開平１１−１９５５３３号公報は、図１２に示すように、ガラスエボキシ樹脂等よりなり筒状コイルを収納する開口部２１aを有する絶縁基板２１と、絶縁基板２１上に形成された表面実装用の電極パターンと、絶縁基板２１の下面に貼付した貼着シート２３と、開口部２１aに収納されると共に電極パターンに接続する端末３b、３cを有する閉磁路型筒状コイル５と、粘着シート２３上に閉磁路型筒状コイル５を位置決め固着し、絶縁基板２１上に形成された電極パターンにコイルの端末３b、３cを半田１６で半田付け又は熱圧着等の固着手段で接続し、封止樹脂１７で封止するSMD型コイル及びその製造方法がある。
このように、SMDタイプ（小型で基板表面装着タイプ）ではドラムタイプ、ドラム＋スリーブタイプが主流でトロイダルタイプはなかった。
【０００４】
【発明が解決しようとする課題】
そこで、本発明は、SMDタイプ（基板表面装着タイプ）であって、産業機器及び民生機器分野における電源回路及びその他の電気回路に利用される平滑用チョークコイルを有する基板表面実装型トロイダルコイルの製造方法を提供することを目的とする。
【０００５】
【課題を解決するための手段】
本発明の基板表面実装型トロイダルコイルの製造方法は、巻線の始端側に引き出し端末をコアの上側に形成してコアに沿って螺旋状に内径に密着整列巻きで巻始め、始端側と略１８０°相対する反対側に巻線空きスペースを２ターン分設けて、引き続きコアに沿って螺旋状に内径に密着整列巻きで巻線の終端側に巻線空きスペースを１ターン分設けて、引き出し端末をコアの下側に形成し、次に巻線の終端側の引き出し端末を延長して巻き終わりの巻線空きスペースに外径側から内径側へ、直径方向に延ばして又は下方方向に折り曲げて反対側の巻線空きスペースに渡らせ、巻線の終端側の引き出し端末とし、さらに、始端側及び終端側の引き出し端末をそれぞれ下方に向くように整形する巻線工程と、
前記工程で巻線が巻かれたトロイダルコイルを引き出し端末が突き出す形で有底円筒状の樹脂ケースに挿入し、そして、引き出し端末を外形端子側に折り曲げ、折り曲げた引き出し端末にクリームハンダを塗布し、さらに、外形端子側の電極端子を内側に折り曲げて前記折り曲げた引き出し端末の上に重ね、熱処理にてハンダを溶かし前記電極端子と前記引き出し端末を接合し、最後に、樹脂ケースの開口に樹脂蓋を装着し接着する組立工程とからなるものである。
【０００６】
【実施例】
以下、本発明の基板表面実装型トロイダルコイル及びその製造方法について、図面に基づいて説明する。
本発明の基板表面実装型トロイダルコイルは、図１(a)平面図及び(b)正面図に示すように、有底円筒状の樹脂ケース１と、該樹脂ケース１の外形端子側２に形成された一対の電極端子３、３とを設け、前記樹脂ケース１の下方開口を覆う樹脂蓋４で封止された容器に形成される。
また、図２のA-A矢視断面図に示すように、前記樹脂ケース１内には、鉄系金属軟磁性圧粉磁心、珪素ー鉄合金系金属軟磁性圧粉磁心又は珪素ーアルミー鉄合金系金属軟磁性圧粉磁心からなるトロイダルコア５と、後述するように該トロイダルコア５に沿って螺旋状に内径に一層整列密着巻きで巻始め、始端側と略１８０°相対する反対側に巻線空きスペースを２ターン分設けて、引き続きコアに沿って螺旋状に内径に一層整列密着巻きで巻線の終端側に巻線空きスペースを１ターン分設けた巻線６とが収納される。
さらに、前記巻線６の始端側と終端側に引き出し端末を設け、該引き出し端末と前記樹脂ケース１の外形端子側２に形成された一対の電極端子３、３とはハンダにより接合される。
前記樹脂ケース１は、外径、高さを小さくするために樹脂ケース１の肉厚を厚さ０．２mm以下とする。
また、トロイダルコア５外径と樹脂ケース１の内径との空隙は、巻線１本分の寸法０．２〜０．４mmとする。
【０００７】
製品部品サイズ構成は、平滑用チョークコイルでインダクタンス１０μH、定格電流１A、２A、５Aタイプである。
0003670640.tif 000002
【０００８】
次に、定格電流１A、２A、５Aタイプのコア内径／コア外径の比率、コア高さ／樹脂ケース高さの比率は、以下表１、２に示す通り４８．６〜６０％、５５．５〜７６．７％である。
【表１】
コア内径／コア外径の比率
0003670640.tif 000003
【表２】
コア高さ／樹脂ケース高さの比率
0003670640.tif 000004
【０００９】
次に、本発明の基板表面実装型トロイダルコイルの製造方法を図面に基づいて、以下に説明する。
まず、最初に、図３(a)平面図及び(b)正面図に示すように、巻線６の始端側に引き出し端末７をコア５の上側に形成してコア５に沿って螺旋状に内径に密着整列巻きで巻始め、始端側と略１８０°相対する反対側に巻線空きスペース８を２ターン分設けて、引き続きコア５に沿って螺旋状に内径に密着整列巻きで巻線６の終端側に巻線空きスペース９を１ターン分設けて、引き出し端末１０をコア５の下側に形成して巻き終わる。
【００１０】
次に、図４(a)平面図及び(b)正面図に示すように、巻線６の終端側の引き出し端末１０を延長して巻き終わりの巻線空きスペース９に外径側から内径側へ、直径方向に延ばして反対側の巻線空きスペース８に渡らせ、巻線６の終端側の引き出し端末１０とする。
巻線６が両方の巻線空きスペース８、９を渡ることで、高さ方向の巻線６の重なりがなくなる。
又は、図５(a)平面図及び(b)正面図に示すように、巻線６の終端側の引き出し端末１０を延長して巻き終わりの巻線空きスペース９に外径側から内径側へ、下方方向に折り曲げて反対側の巻線空きスペース８の下方に渡らせ、巻線６の終端側の引き出し端末１０とする。
巻線６が両方の巻線空きスペース８、９を利用することで、高さ方向の巻線６の重なりがなくなる。
【００１１】
さらに、図６(a)平面図及び(b)正面図に示すように、始端側及び終端側の引き出し端末７、１０をそれぞれ下方に向くように整形する。
又は、図７(a)平面図及び(b)正面図に示すように、始端側の引き出し端末７を下方に向くように整形し、終端側の引き出し端末１０をそのままにする。
このようにして巻線が巻かれたトロイダルコイルが形成される。
【００１２】
次に、図８に示すように、巻線が巻かれたトロイダルコイルは、引き出し端末７、１０が突き出す形で有底円筒状の樹脂ケース１に挿入される。
そして、図９に示すように、引き出し端末７、１０を外形端子側２に折り曲げ、折り曲げた引き出し端末７、１０にクリームハンダ１１を塗布する。
さらに、図１０に示すように、外形端子側２の電極端子３を内側に折り曲げ、前記折り曲げた引き出し端末７、１０の上に重ね、熱処理にてハンダを溶かし電極端子３と引き出し端末７、１０を接合する。
最後に、図１１に示すように、樹脂ケース１の開口に樹脂蓋４を装着し接着する。
このようにして、有底円筒状の樹脂ケース１と、該樹脂ケース１の外形端子側２に形成された一対の電極端子３、３とを設け、前記樹脂ケース１の開口を覆う樹脂蓋４で封止された基板表面実装型トロイダルコイルが製造される。
【００１３】
【効果】
以上述べた如く、本発明の基板表面実装型トロイダルコイルの製造方法によれば、巻線の始端側に引き出し端末をコアの上側に形成してコアに沿って螺旋状に内径に密着整列巻きで巻始め、始端側と略１８０°相対する反対側に巻線空きスペースを２ターン分設けて、さらにコアに沿って螺旋状に内径に密着整列巻きで巻線の終端側に巻線空きスペースを１ターン分設けて、引き出し端末をコアの下側に形成し、次に巻線の終端側の引き出し端末を延長して巻き終わりの巻線空きスペースに外径側から内径側へ、直径方向に延ばして又は下方方向に折り曲げて反対側の巻線空きスペースに渡らせ、巻線の終端側の引き出し端末としたので、トロイダルタイプでしかも他社製品より小型に形成することができる。
【図面の簡単な説明】
【図１】本発明の基板表面実装型トロイダルコイルの(a)平面図、(b)正面図である。
【図２】本発明の基板表面実装型トロイダルコイルのA-A矢視断面図である。
【図３】本発明のトロイダルコイルの巻線工程１の(a)平面図、(b)正面図である。
【図４】本発明のトロイダルコイルの巻線工程２の(a)平面図、(b)正面図である。
【図５】本発明のトロイダルコイルの他の巻線工程２の(a)平面図、(b)正面図である。
【図６】本発明のトロイダルコイルの巻線工程３の(a)平面図、(b)正面図である。
【図７】本発明のトロイダルコイルの他の巻線工程３の(a)平面図、(b)正面図である。
【図８】本発明の基板表面実装型トロイダルコイルの組立工程１の正面図である。
【図９】本発明の基板表面実装型トロイダルコイルの組立工程２の正面図である。
【図１０】本発明の基板表面実装型トロイダルコイルの組立工程３の正面図である。
【図１１】本発明の基板表面実装型トロイダルコイルの組立工程４の正面図である。
【図１２】従来のSMD型コイルの(a)正面図、(b)A-A断面図である。
【符号の説明】
１  樹脂ケース
２  外形端子側
３  電極端子
４  樹脂蓋
５  トロイダルコア
６  巻線
７  引き出し端末
８  空きスペース
９  空きスペース
１０  引き出し端末
１１  クリームハンダ
【図１】
0003670640.tif 000005
【図２】
0003670640.tif 000006
【図３】
0003670640.tif 000007
【図４】
0003670640.tif 000008
【図５】
0003670640.tif 000009
【図６】
0003670640.tif 000010
【図７】
0003670640.tif 000011
【図８】
0003670640.tif 000012
【図９】
0003670640.tif 000013
【図１０】
0003670640.tif 000014
【図１１】
0003670640.tif 000015
【図１２】
0003670640.tif 000016